(57)【特許請求の範囲】
【請求項１】
紡糸系から電子紡糸される高分子ファイバ群を、この高分子ファイバ群との間に電位差を有し、かつ、前記電子紡糸系側に周回軸を向けて周回する環状収集面の全周に電荷誘導を伴い同時収集して堆積させながら、環状収集面に堆積した高分子ファイバをその近傍所定箇所にて引き出し糸条に合糸することを特徴とする高分子ファイバの合糸方法。
【請求項２】
合糸は、撚糸処理を含む請求項１に記載の高分子ファイバの合糸方法。
【請求項３】
環状収集面は、環状部の外周面または内周面を用いる請求項１、２のいずれか１項に記載の高分子ファイバの合糸方法。
【請求項４】
高分子ファイバ群は、紡糸系の高分子紡糸液を収容した紡糸容器に設けられた複数の小孔を通じ紡糸する請求項１〜３のいずれか１項に記載の高分子ファイバの合糸方法。
【請求項５】
高分子ファイバ群は、紡糸容器の環状収集面と対向する面に設けられた複数の小孔を通じ紡糸する請求項４に記載の高分子ファイバの合糸方法。
【請求項６】
高分子ファイバ群は、紡糸容器の前記周回軸まわりの側周面に設けられた複数の小孔を通じ紡糸する請求項４に記載の高分子ファイバの合糸方法。
【請求項７】
高分子ファイバ群は、紡糸容器と環状収集面との周回軸まわりの相対移動を伴い紡糸する請求項１〜６のいずれか１項に記載の高分子ファイバの合糸方法。
【請求項８】
環状収集面からの高分子ファイバの引き出しは、環状収集面に予め担持させたリード材の引き出しに追随させて行う請求項１〜７のいずれか１項に記載の高分子ファイバの合糸方法。
【請求項９】
糸条は巻取る請求項１〜８のいずれか１項に記載の高分子ファイバの合糸方法。
【請求項１０】
高分子ファイバ群を電子紡糸する紡糸系と、この紡糸系から紡糸される高分子ファイバ群との間に電位差を持ち、かつ、前記紡糸系側に周回軸を向けて周回駆動される環状収集面を持ち、この環状収集面の全周に前記紡糸される高分子ファイバ群を、前記電位差による電荷誘導を伴い同時収集する収集体と、この収集体の環状周回面に収集し堆積した高分子ファイバをその近傍の所定の引き出し箇所から引き出し糸条に合糸する合糸手段と、を備えたことを特徴とする高分子ファイバの合糸装置。
【請求項１１】
収集体は、環状の外周面または内周面が、環状収集面をなしている回転体である請求項１０に記載の高分子ファイバの合糸装置。
【請求項１２】
紡糸系は、高分子紡糸液を収容した紡糸容器に設けた複数の小孔ないしはノズルを通じ紡糸する請求項１０、１１のいずれか１項に記載の高分子ファイバの合糸装置。
【請求項１３】
紡糸系は、高分子紡糸液を収容した紡糸容器の環状収集面と対向する面に設けた複数の小孔またはノズルを通じ紡糸する請求項１２に記載の高分子ファイバの合糸装置。
【請求項１４】
紡糸系は、紡糸容器の前記周回軸まわりの側周面に設けた複数の小孔またはノズルを通じ紡糸する請求項１２に記載の高分子ファイバの合糸装置。
【請求項１５】
紡糸系は、紡糸容器と環状収集面との周回軸まわりの相対移動を伴い紡糸する請求項１０〜１４のいずれか１項に記載の高分子ファイバの合糸装置。
【請求項１６】
収集体は、その環状収集面から引き出すことにより環状収集面に収集し堆積させた高分子ファイバを追随させて束状に引き出すリード材を予め担持できるリード材担持部を有している請求項１０〜１５のいずれか１項に記載の高分子ファイバの合糸装置。
【請求項１７】
合糸手段は、引き出した高分子ファイバを集束させ撚りを掛けて撚糸し先へ搬送するか巻き取る撚糸手段を備えている請求項１０〜１６のいずれか１項に記載の高分子ファイバの合糸装置。
【請求項１８】
合糸手段は、所定の引き出し箇所の紡糸系側に、この紡糸系からの高分子ファイバに対する環状収集面側からの電荷誘導を遮断し、かつ紡糸系から及ぶ高分子ファイバを受け止める絶縁性のガードを備えている請求項１０〜１７のいずれか１項に記載の高分子ファイバの合糸装置。
【請求項１９】
合糸手段は、所定の引き出し箇所に、環状収集面から高分子ファイバを引き出すガイドを有している請求項１０〜１８のいずれか１項に記載の高分子フィバの合糸装置。
【請求項２０】
合糸手段は、所定の引き出し箇所に、環状収集面に離型剤を塗布する離型剤塗布手段を備えている請求項１０〜１８のいずれか１項に記載の高分子ファイバの合糸装置。
【発明の詳細な説明】
【技術分野】
【０００１】
本発明は、電荷誘導紡糸による高分子ファイバの合糸方法と装置に係り、電荷誘導紡糸法（エレクトロスピニング法）によって高分子ファイバを生成し、合糸する高分子ファイバの合糸方法と装置に関するものである。
【背景技術】
【０００２】
一列に並ぶ下向きのノズルを通じて高分子の紡糸を行ってナノ繊維を得、このナノ繊維が落下した地点から１ｃｍ以上離れた地点から一定の線速度で回転する回転ローラによって引き上げながら、圧搾、延伸、乾燥および巻き取りを行い、ナノ繊維からなる連続したフィラメント（糸）を製造する技術は既に知られている（例えば、特許文献１参照。）。
【特許文献１】特開２００６−５０７４２８号公報
【発明の開示】
【発明が解決しようとする課題】
【０００３】
しかし、特許文献１に記載の技術は、一列に並んだ各ノズルから真下に向けナノ繊維を紡糸しているために、各ノズルの下に落下して、その付近に集中するのをノズル配列方向の一方から前記落下したナノ繊維を回転ローラによって強制的に引き出すようにしているので、回転ローラに近いノズルから落下したナノ繊維と遠いノズルから落下したナノ繊維とにより、ナノ繊維を連続に引き出し製造した連続フィラメントに太さ等に差やバラツキが生じるという問題がある。また、大量に製造するのにも限界があった。
【０００４】
本発明の目的は、電子紡糸系にて作り出される高分子ファイバから太さ差やむらのない優れた糸条が生産性よく簡単かつ低コストに得られる高分子ファイバの合糸方法と装置を提供することにある。
【課題を解決するための手段】
【０００５】
上記のような目的を達成するために、本発明の第１の態様によれば、紡糸系から電子紡糸される高分子ファイバ群を、この高分子ファイバ群との間に電位差を有し、かつ、前記電子紡糸系側に周回軸を向けて周回する環状収集面の全周に電荷誘導を伴い同時収集して堆積させながら、環状収集面に堆積した高分子ファイバをその近傍の所定箇所にて引き出し糸条に合糸することを特徴としている。
【０００６】
このような特徴の合糸方法によれば、電子紡糸系から紡糸される高分子ファイバ群の電位差を利用した電荷誘導を伴う収集が、周回する環状収集面の全周に同時になされるので収集面が環状でも単位時間当たりの収集効率が増大する上、環状収集面の周回によってその各部における高分子フィバの堆積量が平均化し、この堆積量が平均化した環状収集面上の高分子フィバをその近傍の所定箇所にて、周回する環状収集面に対する引き出し位置を相対変位させながら、均等に連続した束状に引き出して糸条に合糸することができる。
【０００７】
このような合糸方法は、本発明の第２の態様によれば、高分子ファイバ群を電子紡糸する紡糸系と、この紡糸系から紡糸される高分子ファイバ群との間に電位差を持ち、かつ、前記紡糸系側に周回軸を向けて周回駆動される環状収集面を持ち、この環状収集面の全周に前記紡糸される高分子ファイバ群を、前記電位差による電荷誘導を伴い同時収集する収集体と、この収集体の環状周回面に収集し堆積した高分子ファイバをその近傍の所定の引き出し箇所から引き出し糸条に合糸する合糸手段と、を備えたことを特徴とする高分子ファイバの合糸装置によって実現し、自動的に安定した合糸ができる。
【０００８】
本発明の第２の態様によれば、第１の態様において、さらに、合糸は、撚糸処理を含むことを特徴としている。
【０００９】
このような第２の態様の特徴によれば、第１の態様に加えて、さらに、撚糸処理により、繊維が平行なフィラメント糸に対し、撚糸度に応じて集束度と引っ張り強さを高められる。
【００１０】
このような方法は、第１７の態様によれば、第１０の態様において、さらに、合糸手段は、引き出した高分子ファイバを集束させ撚りを掛けて撚糸し先へ搬送するか巻き取る（第９の態様の方法による場合同様に）撚糸手段を備えていることを特徴とする合糸装置により実現し、先へ搬送すると、搬送先に応じた束ねなどの処理や、使用ができ、巻き取るとかさ低く取り扱える所定量ずつの荷姿に仕上げられる。
【００１１】
本発明の第３の態様によれば、第１、２の態様のいずれかにおいて、さらに、環状収集面は、環状部の外周面または内周面を用いることを特徴としている。
【００１２】
このような第３の態様の特徴によれば、第１、２の態様のいずれかに加え、さらに、紡糸系から紡糸される高分子フィバの電荷誘導による飛翔挙動が、環状収集面に対し外側からの回り込みに適する場合は環状部の外周面として収集をスムーズに遂行させられるし、内側からの回り込みに適する場合は環状部の内周面として収集をスムーズに遂行させられる。
【００１３】
このような方法は、第１１の態様によれば、第１０の態様において、さらに、収集体は、環状の外周面または内周面が、環状収集面をなしている回転体であることを特徴とする合糸装置によって実現する。
【００１４】
本発明の第４、１２の態様の特徴によれば、第１〜３、１０、１１の態様のいずれかにおいて、さらに、高分子ファイバ群は、紡糸系の高分子紡糸液を収容した紡糸容器に設けられた複数の小孔を通じ紡糸することを特徴としている。
【００１５】
このような第４の態様の特徴によれば、第１〜３の態様のいずれかに加え、さらに、小孔を通じた紡糸がそれらの配列数、配列域に応じた量および広がりを持ってできる。
【００１６】
本発明の第５、１３の態様によれば、第４、１２の態様のいずれかにおいて、さらに、高分子ファイバ群は、紡糸容器の環状収集面と対向する面に設けられた複数の小孔またはノズルを通じ紡糸することを特徴としている。
【００１７】
このような第５、１３の態様の特徴によれば、第４、１２の態様のいずれかに加え、さらに、紡糸容器の環状収集面と対向する面からの紡糸により、紡糸された高分子ファイバを環状収集面に電荷誘導しやすくなる。
【００１８】
本発明の第６、１４の態様によれば、第４、１２の態様のいずれかにおいて、さらに、高分子ファイバ群は、紡糸容器の周回軸まわりの側周面に設けられた複数の小孔またはノズルから高分子紡糸液を吐出して紡糸することを特徴としている。
【００１９】
このような第６、１４の態様の特徴によれば、第４、１２の態様のいずれかに加え、さらに、紡糸容器の周回軸まわりの側周面から外向きに紡糸するので紡糸域を広げやすく、対向する環状収集面の側への折れ曲がりを伴い電荷誘導して収集し、堆積させられ、環状収集面の周長を大きくするのに対応しやすい。
【００２０】
本発明の第７、１５の態様によれば、第１〜６、１０〜１４の態様のいずれかにおいて、さらに、高分子ファイバ群は、紡糸容器と環状収集面との周回軸まわりの相対移動を伴い紡糸することを特徴としている。
【００２１】
このような第７、１５の態様の特徴によれば、第４〜６、１２〜１４の態様のいずれかに加え、さらに、紡糸容器から紡糸される高分子ファイバは、環状収集面の紡糸容器との相対移動度に応じて環状収集面の周回方向下流側への捻りを受けて、環状収集面上へ周回方向上流側から下流側へ下向きに傾斜した姿勢から吸着されていくので、高分子ファイバが、環状収集面上に周回方向に向きを揃えて収集、堆積させられる。
【００２２】
本発明の第８の態様によれば、第１〜７の態様のいずれかにおいて、さらに、環状収集面からの高分子ファイバの引き出しは、環状収集面に予め担持させたリード材の引き出しに追随させて行うことを特徴としている。
【００２３】
このような第８の態様の特徴によれば、第１〜７の態様のいずれかに加え、さらに、高分子ファイバの環状収集面上への収集、堆積が、環状収集面に予め担持されたリード材の上になされるので、このリード材を環状収集面から引き出すことによりその上に収集、堆積されている高分子ファイバを追随させて引き出しやすく、かつ、リード材のまわりに集束させて束状としやすい。
【００２４】
このような方法は、本発明の第１６の態様によれば、第１０〜１５の態様のいずれかにおいて、さらに、収集体は、その環状収集面から引き出すことにより環状収集面に収集し堆積させた高分子ファイバを追随させて束状に引き出すリード材を予め担持できるリード材担持部を有していることを特徴とする装置によって実現する。
【００２５】
本発明の第１８の態様によれば、合糸手段は、所定の引き出し箇所の紡糸系側に、この紡糸系からの高分子ファイバに対する環状収集面側からの電荷誘導を遮断しかつ高分子ファイバを受け止める絶縁性のガードを備えていることを特徴としている。
【００２６】
このような第１８の態様の特徴によれば、第１０〜１５の態様のいずれかに加え、さらに、環状収集面上からそこに収集され堆積している高分子ファイバを引き出す所定の箇所からの電荷誘導が紡糸系からの高分子ファイバに及ぶのを防止するのに併せ、紡糸により飛翔してくることのある高分子ファイバを受け止めるので、環状収集面から高分子ファイバを引き出す箇所に紡糸される高分子ファイバが及んで高分子ファイバの均一で連続した引出を阻害するのを回避することができる。
【００２７】
本発明の第１９の態様によれば、第１０〜１８の態様のいずれかにおいて、さらに、合糸手段は、所定の引き出し箇所に、環状収集面から高分子ファイバを引き出すガイドを有していることを特徴としている。
【００２８】
このような第１９の態様の特徴によれば、第１０〜１８の態様のいずれかに加え、さらに、高分子ファイバの引き出しが所定箇所でのガイドによる案内を受けて、位置振れなどなく安定に行える。
【００２９】
本発明の第２０の態様によれば、第１０〜１８の態様のいずれかにおいて、さらに、合糸手段は、所定の引き出し箇所に、環状収集面に離型剤を塗布する離型剤塗布手段を備えていることを特徴としている。
【００３０】
このような第２０の態様の特徴によれば、第１０〜１８の態様のいずれかに加え、さらに、所定箇所に離型剤塗布手段を合糸手段などと併設しておき、高分子ファイバの収集前またはガードを持っていれば高分子ファイバの収集初期に、高分子ファイバの収集前の環状収集面上に離型剤を塗布することができ、高分子ファイバを引き出す際の環状収集面からの剥離性を高められる。
【００３１】
本発明のそれ以上の目的および特徴は、以下の具体的な説明および図面の記載によって明らかになる。
【発明の効果】
【００３２】
本発明によれば、紡糸される高分子ファイバ群の電荷誘導を伴う収集が、周回する環状収集面の全周に同時になして単位時間当たりの収集、堆積効率を高められ、これを引き出し合糸する生産性が向上する。また、環状収集面の周回により各部への収集、堆積量が平均化した高分子フィバをその近傍の所定箇所にて、周回する環状収集面に対する引き出し位置を相対変位させながら、均等に連続した束状に引き出して糸条に合糸でき、太さの差やむらが解消し、高品質な高分子糸が簡単かつ低コストにて得られる。
【発明を実施するための最良の形態】
【００３３】
以下、本発明の実施の形態に係る高分子ファイバの合糸方法と装置につき図１〜図１２を参照しながら説明し、本発明の理解に供する。
【００３４】
本実施の形態の高分子ウエブの合糸方法の基本的な特徴は、その幾つかの原理を採用した図１、図２の例、図３、図４の各例、図５の例、図６の例に示す高分子ウエブの合糸装置を参照して説明すると、高分子ファイバ生成源である紡糸系４における高分子紡糸液１の複数の小孔９からの流出ないしは吐出によって、小孔９側からの帯電や紡糸域に作った電界による静電環境下での静電爆発、静電延伸を伴い、サブミクロンはもとより、ナノ単位といった微小径の高分子ファイバ２をある長さないしは長さ範囲で生成して、高分子ファイバ２と電位差を有した収集体３上に電荷誘導して収集し堆積させながら、この収集され堆積された高分子ファイバ２を合糸手段７によって所定箇所にて引き出し糸条８に合糸する。
【００３５】
本実施の形態では、特に、紡糸系４から電子紡糸される高分子ファイバ２群を、この高分子ファイバ２群との間に電位差を有して周回する環状収集面３aの全周に電荷誘導を伴い同時収集して堆積させながら、環状収集面３ａに堆積した高分子ファイバ２をその近傍の所定箇所にて引き出し糸条８に合糸する。これにより、紡糸系４から紡糸される高分子ファイバ２群の電位差を利用した電荷誘導を伴う収集が、周回する環状収集面３ａの全周に同時になされるので環状収集面３ａが環状な帯状域でも単位時間当たりの収集効率が増大する上、環状収集面３ａの周回によってその各部における高分子フィバ２の堆積量が平均化し、この堆積量が平均化した環状収集面３ａ上の高分子フィバ２をその近傍の所定箇所にて、周回する環状収集面３ａに対する引き出し位置を相対変位させながら、均等に連続した束状に引き出して糸条８に合糸することができる。
【００３６】
この結果、紡糸される高分子ファイバ２群の電荷誘導を伴う収集が、周回する環状収集面３ａの全周に同時になして単位時間当たりの収集、堆積効率を高められ、これを引き出し合糸する生産性が向上する。また、環状収集面３ａの周回により各部への収集、堆積量が平均化した高分子フィバ２をその近傍の所定箇所にて、周回する環状収集面３ａに対する引き出し位置を相対変位させながら、均等に連続した束状に引き出して糸条に合糸でき、太さの差やむらが解消し、高品質な高分子糸が簡単かつ低コストで得られる。
【００３７】
なお、高分子紡糸液１に用いる高分子物質としては、ポリプロピレン、ポリエチレン、ポリスチレン、ポリエチレンオキサイド、ポリエチレンテレフタレート、ポリブチレンテレフタレート、ポリエチレンナフタレート、ポリ−ｍ−フェニレンテレフタレート、ポリ−ｐ−フェニレンイソフタレート、ポリフッ化ビニリデン、ポリフッ化ビニリデン−ヘキサフルオロプロピレン共重合体、ポリ塩化ビニル、ポリ塩化ビニリデン−アクリレート共重合体、ポリアクリロニトリル、ポリアクリロニトリル−メタクリレート共重合体、ポリカーボネート、ポリアリレート、ポリエステルカーボネート、ナイロン、アラミド、ポリカプロラクトン、ポリ乳酸、ポリグリコール酸、コラーゲン、ポリヒドロキシ酪酸、ポリ酢酸ビニル、ポリペプチド等を例示でき、これらより選ばれる少なくとも一種が用いられるが、特にこれらに限定されるものではない。
【００３８】
上記高分子物質を高分子ファイバ原料液１とするのに使用できる溶媒としては、メタノール、エタノール、１−プロパノール、２−プロパノール、ヘキサフルオロイソプロパノール、テトラエチレングリコール、トリエチレングリコール、ジベンジルアルコール、１，３−ジオキソラン、１，４−ジオキサン、メチルエチルケトン、メチルイソブチルケトン、メチル−ｎ−ヘキシルケトン、メチル−ｎ−プロピルケトン、ジイソプロピルケトン、ジイソブチルケトン、アセトン、ヘキサフルオロアセトン、フェノール、ギ酸、ギ酸メチル、ギ酸エチル、ギ酸プロピル、安息香酸メチル、安息香酸エチル、安息香酸プロピル、酢酸メチル、酢酸エチル、酢酸プロピル、フタル酸ジメチル、フタル酸ジエチル、フタル酸ジプロピル、塩化メチル、塩化エチル、塩化メチレン、クロロホルム、ｏ−クロロトルエン、ｐ−クロロトルエン、クロロホルム、四塩化炭素、１，１−ジクロロエタン、１，２−ジクロロエタン、トリクロロエタン、ジクロロプロパン、ジブロモエタン、ジブロモプロパン、臭化メチル、臭化エチル、臭化プロピル、酢酸、ベンゼン、トルエン、ヘキサン、シクロヘキサン、シクロヘキサノン、シクロペンタン、ｏ−キシレン、ｐ−キシレン、ｍ−キシレン、アセトニトリル、テトラヒドロフラン、Ｎ，Ｎ−ジメチルホルムアミド、ピリジン、水等を例示でき、これらより選ばれる少なくとも一種が用いられるが、特にこれらに限定されるものではない。
【００３９】
以上のような合糸方法を実現するのに、図１、図２の例、図３、図４の例、図５の例、図６の例、図７の例に示す高分子ウエブの合糸装置は、既述のように高分子ファイバ２群を電子紡糸する紡糸系４と、この紡糸系４から紡糸される高分子ファイバ２群との間に電位差を持ち、かつ、紡糸系４側に周回軸がほぼ向いて周回駆動される環状収集面３ａを持ち、この環状収集面３ａの全周に前記紡糸される高分子ファイバ２群を、前記電位差による電荷誘導を伴い同時収集する収集体３と、この収集体３の環状周回面３ａに収集し堆積した高分子ファイバ２をその近傍の所定の引き出し箇所から引き出し糸条８に合糸する合糸手段７と、を備え、自動的に安定した合糸ができる。
【００４０】
高分子ファイバ２と環状収集面３ａとの電位差は、例えば、直流で１ＫＶ〜１００ＫＶ程度あればよく、図１、図２に示す例では環状収集面３ａの側に−１ＫＶ〜−１００ＫＶ程度の電圧−Ｖ１を印加するだけで、紡糸系４の各１つの小孔９から静電爆発、静電延伸を伴うナノ単位の高分子ファイバを多条に生成し、それを環状収集面３ａ上に電荷誘導し収集、堆積させられるようにしている。それには、紡糸系４を図に示すようにアース１４に接続し環状収集面３ａとの間の電位差による静電環境を安定させるのが好適である。しかし、これに限られることはなく、印加する電圧の極性は問わないし、紡糸系４の側に電圧を印加してもよい。また、紡糸系４および環状収集面３ａ双方の側に電圧を印加する場合は互いを逆極性とするのが好適であるが、前記電位差を満足すれば逆極性に限られることはない。小孔９は、直径が０．０１〜２ｍｍ程度で数ｍｍピッチで設けるのが生産性、環状収集面３ａへの均一かつ十分な密度での収集、堆積状態の面で好適であり、図１〜図８に示すように紡糸容器５に単に穿設した小孔９のほか、図１１、図１２に示すようにノズル８０のノズル孔９とすることもできる。ノズル孔９の場合は特に、加圧して高分子紡糸液１を吐出し１つのノズル８０からより広域により多くの高分子ファイバ２を紡糸できる利点がある。このため、その配列ピッチを小孔９の場合に比し大きくして同程度の密度での収集、堆積が実現し、収集、堆積の密度および量を高めるのに有効である。
【００４１】
また、収集体３は環状収集面３ａを金属製とし、他の露出部分は絶縁性として高分子ファイバ２の電荷誘導を招かないようにするのが、高分子ファイバの不用意な付着を防止し、かつ、高分子ファイバの環状収集面３ａへの収集、堆積の確立、効率を高められる。
【００４２】
図１、図２に示す例では、合成樹脂などの絶縁材料で回転軸３ｂと一体形成した円盤型の収集体３外周に金属製で導電性を有した収集部３ｃをインサート成形などによって設け、その表面を導電性の環状収集面３ａとして前記電圧−Ｖ１の印加によって帯電されるようにしている。また、電圧−Ｖ１の環状収集面３ａへの印加は、図に示すように印加電源１１を回転軸３ｂの軸受１２の固定外輪に接続し、軸受１２の回転軸３ｂと一体回転する内輪部を回転軸３ｂ、収集体３の表面を経て導電性収集部３ｃに接続することによって、軸受１２を介し行われるようにしている。しかし、これに限定されることはなく種々な電圧印加方式を採用することができる。環状収集面３ａの周回は、収集体３の回転軸３ｂに設けた受動プーリ１３に図示しないモータの回転をベルト伝動して収集体３を回転駆動することにより行うようにしてあるが、これも種々な駆動方式を採用することができる。
【００４３】
また、合糸手段７による合糸は、撚糸処理を含むものとすることができ、このような撚糸処理により、撚りがなく繊維が平行なままのフィラメント糸に対し、撚糸度に応じて集束度と引っ張り強さを高められる。これを実現するのに、図１、図２に示す例の合糸手段７は、環状収集面３ａから引き出した高分子ファイバ２を集束させ撚りを掛けて撚糸し先へ搬送するか巻き取り手段１５に巻き取らせる撚糸手段１６を備えている。これにより、合糸手段７による合糸過程で、引き出した高分子ファイバ２の束に撚りを掛けて集束度を高めることが自動的に連続して行える。図に示す撚糸手段１６は、回転駆動する筒状の撚糸体１６ａ内に引き出した高分子ファイバ２を通して、その内面の回転を与えながら通過させることで撚糸を行うようにしている。それには、図に示すように、撚糸体１６ａの出口コーナの周方向一部を高分子ファイバが屈曲して擦れながら通過する経路を設定するのが好適である。入口コーナにおいても同様な作用は得られるし、入口、出口の双方で行ってもよいが、扱き抵抗が大きく糸条８を傷めやすい。受け入れた高分子ファイバ２を長い内面で案内して出ていくときに軽く扱って回転を与えるのがもっとも扱き抵抗が少なく高分子ファイバ２を傷めにくい。さらに、先への搬送によると、搬送先に応じた束ねなどの処理や、使用ができ、巻き取るとかさ低く取り扱える所定量ずつの荷姿に仕上げられる。
【００４４】
さらに、合糸手段７は、図１、図２に示す例のように、所定の引き出し箇所の紡糸系４側に、この紡糸系４からの高分子ファイバ２に対する環状収集面３ａ側からの電荷誘導を遮断しかつ紡糸系４から及ぶことのある高分子ファイバ２を受け止める絶縁性のガード２１を備えている。これにより、環状収集面３ａ上からそこに収集され堆積している高分子ファイバ２を引き出す所定の箇所からの電荷誘導が紡糸系４からの高分子ファイバ２に及ぶのを防止するのに併せ、紡糸により飛翔してくることのある高分子ファイバ２を受け止めるので、環状収集環面３ａから高分子ファイバ２を引き出す箇所に紡糸される高分子ファイバ２が及んで高分子ファイバ２の均一で連続した引出を阻害するのを回避することができる。
【００４５】
また、合糸手段７は、所定の引き出し箇所に、環状収集面３ａから高分子ファイバ２を引き出すガイド２２を有している。ガイド２２は回転するローラとして、引き出される高分子ファイバ２を案内するのに摩擦抵抗を低減できるようにしているが、これに限られることはない。このようなガイド２２を用いると、高分子ファイバ２の引き出しが所定箇所でのガイド２２による案内を受けて、位置振れなどなく安定に行える。
【００４６】
また、合糸手段７は、図１、図２の例で示すように、所定の引き出し箇所に、環状収集面３ａにスプレーや離接などにより離型剤を適時に塗布する離型剤塗布手段２３を備えたものとすることができる。このように、所定箇所に離型剤塗布手段２３を補助手段として、または合糸手段７の一部などとして併設しておき、高分子ファイバ２の収集前またはガード２１を持っていれば高分子ファイバ２の収集初期に、高分子ファイバ２の収集前の環状収集面３ａ上に離型剤を塗布することができ、高分子ファイバ２を引き出す際の環状収集面３ａからの剥離性を高められる。
【００４７】
また、環状収集面３ａは、収集体３における図１、図２に示す環状部である収集部３ｃの外周面を用いることができるし、内周面を用いることもでき、紡糸系４から紡糸される高分子フィバ２の電荷誘導による飛翔挙動が、環状収集面３ａに対し図１、図２に示すように外側からの回り込みに適する場合は環状部の外周面として収集をスムーズに遂行させられる。一方、内側からの回り込みに適する場合は環状部の内周面として収集をスムーズに遂行させられる。
【００４８】
また、高分子紡糸液１を流出または吐出させる小孔９は、高分子防止液１を収容する紡糸容器５の環状収集面３ａと対向する対向面５ａに複数、具体的には多数配列してあり、収容しあるいは外部から連続供給される高分子防止液１を多数の小孔９から流出させ、あるいは供給圧などを利用して吐出させ、環状収集面３ａに向け紡糸するようにしている。これにより、紡糸容器５の環状収集面３ａと対向する面からの紡糸により、紡糸された高分子ファイバ２を環状収集面３ａに電荷誘導しやすくなる。しかも、紡糸容器５の対向面５ａの外回りの環状域に小孔９を配列することにより、収集体３の外周面をなす環状収集面３ａに外側から回り込ませやすくなる。
【００４９】
図３、図４の例は、円盤型の収集体３の外周片面に環状に側方へ突出した環状部の内周にインサート成形などした導電性の収集部３ｃを設けて、その内周面を環状収集面３ａとした点で、図１、図２の例と異なっている。この場合、高分子ファイバ２の紡糸域は図に示すように環状収集面３ａの中央寄りに設定し、紡糸域まわりの環状収集面３ａに電荷誘導して収集、堆積させればよいので、紡糸容器５の対向面５ａと共に、小孔９の配列域を小さくできる。
【００５０】
また、図３、図４の例では、環状収集面３ａからの高分子ファイバ２の引き出しは、環状収集面３ａに予め担持させた糸などのライン状、テープ状などの細長いリード材３１の引き出しに追随させて行うようにしている点でも、図１、図２の例と相違している。これにより、高分子ファイバ２の環状収集面３ａ上への収集、堆積が、環状収集面３ａに予め担持されたリード材３１の上になされるので、このリード材３１を環状収集面３ａから引き出すことによりその上に収集、堆積されている高分子ファイバ２を追随させて引き出しやすく、かつ、リード材３１のまわりに集束させて束状としやすい。このために、図３、図４の例では、収集体３は、その環状収集面３ａから引き出すことにより環状収集面３ａに収集し堆積させた高分子ファイバ２を追随させて束状に引き出すリード材３１を予め担持できるリード材担持部３２を有したものとしている。このようなリード材担持部３２は基本的にはどのような構成とすることもできる。しかし、リード材３１を引き出した後の環状収集面３ａへの高分子ファイバ２の収集、堆積を乱さないのが好適である。これを満足するのに図示例でのリード材担持部３１は、環状収集面３ａの幅方向一部にリード材３１の出し入れ口３２ａを有した周方向の溝とし、リード材３１を収容し担持できるようにしてあり、環状収集面３ａの周回による遠心力はリード材３１を溝内に担持する作用を営むので好適である。さらに本例では、溝の形態を出し入れ口３２ａの幅が小さく、その奥が出し入れ口３２ａの幅よりも広くなるようにしてあり、リード材３１をその初期引き出しのために一端を外部に残した状態にしておいても脱落を防止できる。もっとも、リード材３１の外部に残した一端部は、収集体３の環状収集面３ａ外に軽く止めておいたり、引っ掛かりやクランプによる自動的なあるいは手作業での引き出しが行える形態や止着態様を採用すると便利であり、引き出しが容易かつ確実に行える。また、リード材３１はやや腰の強いものを採用すると、撚糸体１６ａやその後の搬送系、巻き取り系への口付けが容易かつ確実に行えるようになる。他の構成は図１、図２の例と共通している。
【００５１】
なお、図１、図２に示す例、図３、図４に示す例は共に、紡糸容器５および環状収集面３ａを横向きに対向させてあるが、紡糸容器５を上にして縦向きに対向させることもできる。このようにすれば、紡糸容器５の対向面５ａから紡糸する高分子ファイバ２を環状収集面３ａの側に自重で達するようにでき、小孔９からの流出紡糸に特に、好適となる。しかし、加圧による吐出紡糸を採用する方が単位時間当たりの紡糸量を増大させやすい。
【００５２】
図５に示す例は、高分子ファイバ２群は、紡糸容器５の環状収集面３の周回軸まわりの側周面５ｂに設けられた複数の小孔９を通じ紡糸し、図１、図２の例や図３、図４に示す例などの収集体３に設けた環状収集面３ａに向け電荷誘導して収集、堆積されるようにしてある。これにより、紡糸容器５の周回軸まわりの側周面５ｂから外向きに紡糸するので紡糸域を広げやすく、対向する環状収集面３ａの側への折れ曲がりを伴い電荷誘導して収集し、堆積させられ、環状収集面３ａの周長を大きくするのに対応しやすい。特に、紡糸容器５はその回転軸５ｃ上の受動プーリ４１に図示しないモータの回転を伝達して回転駆動するようにしてあり、小孔９からの高分子紡糸液１の流出を遠心力にて促進できるので、加圧なしに高分子紡糸域を側周面５ｂまわりに大きく拡張できる。従って、高分子紡糸液１は開放型の紡糸容器５に単に流し込むだけでよく、図示例では、貯液槽４２内の高分子紡糸液１をポンプ４３によって回転軸５ｃ内を、遊びを持って縦通する管路４４を通じ単に流し込んでいる。紡糸容器５の接地は、図に示すように回転軸５ｃの軸受４５を介して行っている。
【００５３】
ここで、１つの実施例を示すと、紡糸容器５の直径Ｌ１は３０ｍｍ〜６００ｍｍ程度が好適であり、環状周回面３ａの径Ｌ２との関係がＬ１＜Ｌ２となる場合を例示している。Ｌ２については３０ｍｍから２０００ｍｍ程度までが実用上適当と考えられる。しかし、Ｌ１＞Ｌ２の関係でも本発明は適用できる。この場合、生産性は上げにくいが、合糸装置を複数併設して、それらから図９に示すように撚糸手段１６の撚糸体１６ａを通じ、あるいは通じないで合糸された糸条８を、図１０に示すように撚糸手段１６１の撚糸体１６１ａを通じ撚り合せて太くより強い１本の撚り合せ糸８１とするような場合に合糸装置同士が干渉しにくくなり好適である。
【００５４】
また、紡糸容器３を回転させながら紡糸するのに、紡糸した高分子ファイバ２を収集、堆積させる図１、図２の例や図３、図４の例などの収集体３との間で、環状収集面３ａの周回軸まわりの相対移動を伴い紡糸する。これにより、図１、図２の例や図３、図４の例における停止した紡糸容器５と回転する収集体３との間で、環状収集面３ａの周回軸まわりの相対移動を伴い紡糸する場合、また、これとは逆に、回転する紡糸容器５と回転すしない集体３との間で、環状収集面３ａの周回軸まわりの相対移動を伴い紡糸する場合、を含め、紡糸容器５から紡糸される高分子ファイバ２は、環状収集面３ａの紡糸容器５との相対移動度に応じて環状収集面３ａの周回方向下流側への捻りを受けて、環状収集面３ａ上へ周回方向上流側から下流側へ下向きに傾斜した姿勢から吸着されていくので、高分子ファイバ２が、環状収集面３ａ上に周回方向に向きを揃えて収集、堆積させられる。このため、繊維の揃った高分子ファイバ２を引き出せるので、高品質なフィラメントまたは撚糸の糸条の合糸できる。撚り合せる複数の糸条８は、１つの環状収集面３ａの複数個所から引き出した高分子ファイバ２を合糸したものとすることもできる。この場合、環状収集面３ａの径Ｌ２は大きくするにのが好適である。
【００５５】
図６に示す例は、リング状の絶縁体の収集体３の内面に環状の導電性の収集部３ｃをインサート成形するなどして設け、内周面を環状収集面３ａとし、収集体３は回転軸３ｂ上のボス３ｄに複数のフォーク３ｅで支持し、モータ６１から従動プーリ１３へベルト伝動して回転駆動し、環状収集面３ａを周回させるようにした点で図５の例と相違する。また、図５の例とは、モータ６２から従動プーリ４１へのベルト伝動によって回転駆動される紡糸容器５をアースへの接続に代えて、電圧−Ｖ１とは逆極性の電圧＋Ｖ２を印加電源６４から印加して相互間の電位差を高めやすくした上で、＋Ｖ２の電圧印加による高分子ファイバ２の帯電電荷とは逆極性の電圧−Ｖ３を印加電源６５から印加した反射板６３を回転軸５ｃ上に設けて、紡糸容器５の側周面３ｂから遠心力にて放射方向に紡糸される高分子ファイバ２との静電反発によって環状収集面３ａからの電荷誘導だけの場合よりも環状収集面３ａの側により積極的に飛翔させられる。
【００５６】
図７に示す例は、環状収集面３ａからの電荷誘導に加え、送風ファン７１からの送風によって紡糸容器５から紡糸される高分子ファイバ２を環状収集面３ａの側に飛翔させやすくしている。
【００５７】
図８に示す例は、環状収集面３ａに収集、堆積した高分子ファイバ２を合糸するのに、撚糸手段１６による撚糸処理の前に、ガイド２２と等速回転する第１ローラ対７２とこれより回転数が高い第２ローラ対７３との間で、ドラフトを掛け太さむらの低減や太さ調整を行う場合を示している。また、環状収集面３ａに離接して適時に離型剤を塗布するローラタイプの離型剤塗布手段２３を設けてある。
【産業上の利用可能性】
【００５８】
電子紡糸系にて作り出される高分子ファイバからの合糸に実用して、太さむらのない優れた糸条を生産性よく得られる。
【図面の簡単な説明】
【００５９】
【図１】本発明に係る実施の形態の高分子ファイバの合糸方法と装置の１つの例を示す摸式図である。
【図２】同斜視図である。
【図３】本発明に係る実施の形態の高分子ファイバの合糸方法と装置の別の例を示す摸式図である。
【図４】同斜視図である。
【図５】本発明に係る実施の形態の高分子ファイバの合糸方法と装置の他の例を示す摸式図である。
【図６】本発明に係る実施の形態の高分子ファイバの合糸方法と装置の今１つの例を示す摸式斜視図である。
【図７】本発明に係る実施の形態の高分子ファイバの合糸方法と装置の今１つの例を示す摸式斜視図である。
【図８】本発明に係る実施の形態の高分子ファイバの合糸方法と装置のさらに別の例を示す摸式図である。
【図９】引き出した高分子ファイバの束に撚糸手段により撚りを掛ける状態を示す斜視図である。
【図１０】複数の糸条を撚糸手段により撚り合せて１本の撚り合せ糸にする状態を示す斜視図である。
【図１１】小孔をノズルとした１つの紡糸容器例を示す斜視図である。
【図１２】小孔をノズルとした別の紡糸容器例を示す斜視図である。
【符号の説明】
【００６０】
１  高分子ファイバ
１  高分子紡糸液
２   高分子ファイバ
３  収集体
３ａ  収集面
３ｂ  回転軸
３ｃ  導電性の収集部
４  紡糸系
５  紡糸容器
５ａ  対向面
５ｂ  側周面
７  合糸手段
８  糸条
９  小孔
１１、６４、６５  印加電源
１４  アース
１５  巻き取り手段
１６  撚糸手段
１６ａ  撚糸体
２１  ガード
２２  ガイド
２３  離型剤塗布手段
３１  リード材
３２  リード材担持部
６３  反射板
７１  送風ファン
８０  ノズル
８１  撚り合せ糸
【図１】
0005288091.tif 000002
【図２】
0005288091.tif 000003
【図３】
0005288091.tif 000004
【図４】
0005288091.tif 000005
【図５】
0005288091.tif 000006
【図６】
0005288091.tif 000007
【図７】
0005288091.tif 000008
【図８】
0005288091.tif 000009
【図９】
0005288091.tif 000010
【図１０】
0005288091.tif 000011
【図１１】
0005288091.tif 000012
【図１２】
0005288091.tif 000013